(57)【要約】【課題】  ドレントラップの温度を測定することによりスチームトレスの状態も検知し、計器不調時にはスチームトラップの不調か、計器自体の不調かが判断できる計器用トレスチェック方法を提供することである。【解決手段】  圧力センサ等の多数の計器２がスチームトレス６による計器用トレスを備えた配管４によりそれぞれ必要箇所に接続された装置において、温度センサにより、ドレントラップ１０または１３の温度を検出し、計器不調の警報が出た場合、同時に前記スチームトレスが正常であるか否かを前記警報と同時に出力するようにした。【選択図】    図１
2007265355.tif 000002
【特許請求の範囲】
【請求項１】
圧力センサ等の多数の計器がスチームトレスによる計器用トレスを備えた配管によりそれぞれ必要箇所に接続された装置において、前記計器の配管にそれぞれスチームトレス及びドレントラップを配設し、温度センサにより前記ドレントラップの温度を検出することにより計器異常警報時、スチームトレスが正常であるか否か即座に判断できるようにしたことを特徴とする計器用トレスチェック方法。
【請求項２】
圧力センサ等の多数の計器がスチームトレスによる計器用トレスを備えた配管によりそれぞれ必要箇所に接続された装置は、発電装置であることを特徴とする請求項１記載の計器用トレスチェック方法。
【発明の詳細な説明】
【技術分野】
【０００１】
本発明は、圧力センサ等の多数の計器がスチームトレスによる計器用トレスを備えた配管によりそれぞれ必要箇所に接続された発電装置等における計器用トレスチェック方法に関するものである。
【背景技術】
【０００２】
従来、発電所においては、圧力センサ等の多数の計器がスチームトレスによる計器用トレスを備えた配管によりそれぞれ必要箇所に接続されているものであるが、これらの装置においては、スチームトレスの不調により計器が正常な動作を示さない恐れがある。スチームトレスの不調は、冬季における凍結や錆等の異物による詰まり等が原因である場合が多い。このようなことから、定期的にスチームトレスの点検検査を行っている。発電所においては、年間を通して使用されている燃料油計器用スチームトレスと冬季のみ使用される一般計器用スチームトレスとがある。そのため、燃料油計器用スチームトレスに関しては、年間を通じて予め定めた期日に定期検査が行われ、一般計器用スチームトレスに関しては、例えば、１１月から３月まで毎月一度の定期検査が行われている。この場合のチェック対象は、計器の動作が正常か否か、スチームトレスの動作が正常か否かの二種のものがあり、両者のチェックが必要である。
【発明の開示】
【発明が解決しようとする課題】
【０００３】
従来のチェック対象は、計器とスチームトレスとの二種であり、しかも、対象となる計器の数はきわめて多いため、チェック作業が大変なものである。もちろん、このようなチェック作業は、予め規定したマニュアルに従って行われているものであるが、計器不調の原因がスチームトレスを原因としているのか否かの判断をすることも難しい。また、計器不調の結果が出た場合において、その計器不調の検出とともにスチームトレスのチェックを必ず行わなければならないもので、チェック作業が煩雑である。
【課題を解決するための手段】
【０００４】
請求項１記載の発明は、圧力センサ等の多数の計器がスチームトレスによる計器用トレスを備えた配管によりそれぞれ必要箇所に接続された装置において、前記計器の配管それぞれにスチームトレス及びドレントラップを配設し、温度センサにより前記ドレントラップの温度を検出し計器不調の警報が出た場合、同時に前記スチームトレスが正常であるか否かを前記警報と同時に出力するようにした計器用トレスチェック方法である。
【０００５】
請求項２記載の発明は、請求項１記載の計器用トレスチェック方法において、圧力センサ等の多数の計器がスチームトレスによる計器用トレスを備えた配管によりそれぞれ必要箇所に接続された装置は、発電装置であることを特徴とする。
【発明の効果】
【０００６】
請求項１記載の発明によれば、ドレントラップの温度を温度センサにより検出することにより、計器配管の温度が正常であるか否かのチェックを行うとともに、その計器に対する配管に設けられたスチームトラップが正常であるか否かの検出を行うことができ、これにより、計器指示不調時にスチームトラップが正常であるか否かの判定をすることでスチームトラップの不調か、計器自体の不調かが判断でき点検順序の工程が即座に決定できるものである。
【０００７】
請求項２記載の発明によれば、発電装置に適用されているため、設置数及び設置箇所がきわめて多岐にわたっている発電所における圧力計等の計器のチェックとその計器を正常に動作させるべきスチームトラップのチェックとを容易に行うことができるものである。
【発明を実施するための最良の形態】
【０００８】
本発明の実施の態様を図面に基いて説明する。まず、発電所における各種の装置は、膨大な数の各種の機能部品を組み合わせたものであるが、例えば、ボイラ等において、そのボイラの近くに位置する屋外等にケーシングで覆われた現地ローカル盤１が配設され、この現地ローカル盤１の内部には、各部の配管の圧力を検出するために、多数の圧力計等の計器２が複数個配設されている。これらの計器２には、開閉弁３を備えた配管４が図示しないボイラから引き出されている。このような配管４のそれぞれには、補助蒸気発生部５に接続されたスチームトレス（計器用トレス）６が設けられている。これらのスチームトレス６は、前記補助蒸気発生部５から供給される蒸気が通されることにより配管４内の流体を加熱するものである。図１においては、分かりやすくするために配管４の外周に弦巻状に巻回した状態で示したが、具体的な形状としては、図２に示すように配管４の外周を覆う肉厚の保温材７とともにその保温材７に埋め込まれた蒸気管８により構成されている。このようなスチームトレス６の端部には、開閉弁９とドレントラップ１０とが設けられている。このようなドレントラップ１０は、スチームトレス６の末端をそのままでおいておくと蒸気が大気中に放出されて熱の損失になるので、無駄な蒸気放出を防ぐために設けられているものである。また、前記スチームトレス６は、前記現地ローカル盤１の内部を加温する盤内加温用スチームトレス１１として前記現地ローカル盤１の内部に配設されている。そして、その盤内加温用スチームトレス１１の端部にも、開閉弁１２とドレントラップ１３とが設けられている。
【０００９】
このような構成において、スチームトレス６の運用は、対象計器により相違する。まず、スチームトレス６の点検時期については、表１に示す。
【００１０】
【表１】
2007265355.tif 000003
【００１１】
この表１において、「２号機」と対象機器が記載されているが、この「２号機」なる表示は、発電装置が１号機と２号機とがあり、それらの内、２号機を対象としているという意味である。そして、種類の欄には、「燃料油計器用」と「一般計器用」と二種のものが示されており、それぞれについて、「重要度」、「通気時期」、「停止時期」、「通気テスト時期」とが規定されている。まず、「燃料油計器用」に関しては、重要度が高いものとされ、通気時期は通年とされている。そのため、停止時期と通気テスト時期とはない。また、「一般計器用」に関しては、重要度が高いものとされ、通気時期は１１〜３月とされ、停止時期端４月１日とされ、通気テスト時期は１０月第１週とされている。
【００１２】
つぎに、一般計器用のスチームトレス７の通気・停止操作要領について説明する。
＜通気操作＞
１）１０月第１週に、通気テストを実施する。
【００１３】
２）２号機ボイラヤードスチームトレス制御盤内の電磁弁スナップスイッチを「自動→強制開」に切り替え通気テストを実施する。
【００１４】
３）通気テスト時、ドレントラップバイパス弁を閉止し、ドレントラップ作動確認を実施する。
【００１５】
４）一般計器用トレス温度記録計の電源を「入」にする。
【００１６】
５）ドレントラップ等の不調箇所が発生すれば、作業依頼票を発行し、１０月３１日までに整備を実施する。
【００１７】
６）整備完了後、１１月になれば通気を開始する。
【００１８】
７）通気を開始すれば凍結防止チェックリストにその旨を記載する。
＜停止操作＞
１）４月１日になれば２号機ボイラヤードスチームトレス制御盤内の電磁弁スイッチを「強制開→自動」に切り替え、通気を停止する。
【００１９】
２）計器用トレス温度記録計の電源を「切」にする。
【００２０】
３）通気停止後、ドレンによる錆の発生を防ぐためドレントラップバイパス弁を開放し保管を行う。
【００２１】
４）通気を停止すれば凍結防止チェックリストにその旨を記載する。
【００２２】
つぎに、「点検方法」に述べる。
【００２３】
１）異常については、毎日のパトロールで実施する。
【００２４】
２）記録採取については、１１月第３週の後半に実施する。
【００２５】
３）記録採取時の判断基準は表２に示す。
【００２６】
【表２】
2007265355.tif 000004
【００２７】
４）判断基準を下回ったときは、異常と判断し作業依頼票を発行する。
【００２８】
５）測定箇所は、ドレントラップ上部とする。
【００２９】
６）測定箇所は、高温のため火傷に注意し測定を実施する。
【００３０】
なお、データ保存に関しては、データはファイル保存とし、その保存期間は、１年間とする。
【００３１】
このようにして測定した測定結果は、図３及び図４に示すように、ファイル保存される。すなわち、図３に示すものは、２号機燃料油計器用スチームトレスチェックリストであり、「電磁弁名称」、「トラップ番号」、「場所」の項目とともに、測定日の欄が設けられている。この測定日の欄に各項目ごとの実測された「温度」が数値をもって記載されている。いま、「Ｈ１６．１１．１１」の測定結果において、燃料油計器用であるため、測定値の判断基準「３０℃＜を適（原油流動点１４℃）」を当てはめると、×印を付した９箇所でドレントラップ不良であると認定される。この判定結果と、作業依頼票を発行した事実と日付とは備考欄に記載される。
【００３２】
つぎに、図４に示すものは、一般計器用スチームトレスチェックリストであり、「対象発電機（２号機）」、「ＬＰＢ番号」、「場所」、「トラップ番号」、「トラップ名称」の項目とともに、測定日の欄が設けられている。ここでは、一般計器用スチームトレスチェックであるため、１１月〜３月の５回の測定欄が設けられている。図４に示す状態においては、「Ｈ１６．１１．１１」、「Ｈ１６．１２．１８」、「Ｈ１７．０１．３１」の３回の測定結果が示されている。ここで、表２により明らかなように、測定値の判断基準は、「一般検出器温度（凍結防止）＋１０℃＜を適」であるので、「Ｈ１６．１１．１１」の測定時には、×印を付した３箇所、「Ｈ１６．１２．１８」、「Ｈ１７．０１．３１」には、×印を付した１箇所がトラップ不良ということになる。備考欄には、作業依頼票が発行されたか否かが記載される。
【００３３】
このように、２号機燃料油計器用スチームトレスチェックの場合も、一般計器用スチームトレスチェックの場合も、ドレントラップ１０または１３の温度検出がなされているものであり、同時に、それぞれの計器２の異常があるか否かのチェックがなされているものであるが、計器２の異常である場合には、間接的にドレントラップ１０または１３の異常があるものと推定される。これにより、ドレントラップ１０または１３に錆が発生したり、異物が混入したりして、蒸気が正常に通過していないことになり、修理点検作業が必要になる。
【図面の簡単な説明】
【００３４】
【図１】本発明の実施の態様を示すもので、配管により接続された計器を示す概念図である。
【図２】蒸気管が配設された配管を示す一部を切り欠いた側面図である。
【図３】燃料油計器用スチームトレスチェックリストである。
【図４】一般計器用スチームトレスチェックリストである。
【符号の説明】
【００３５】
２    計器
４    配管
６    スチームトレス
１０    ドレントラップ
１３    ドレントラップ
【図１】
2007265355.tif 000005
【図２】
2007265355.tif 000006
【図３】
2007265355.tif 000007
【図４】
2007265355.tif 000008